(57)【要約】【課題】塗装作業において、塗料容器が揺れ動き、もしくは、傾いた際においても中の塗料のこぼれを防止しする塗料容器を提供する。【解決手段】塗料等を収納することができる上部が開口された容器本体３と、前記容器本体３の内側に収納され、塗料等を収納し該容器本体３の開口部２を覆うことができるシ―ル部５を有した合成樹脂材製等の収納袋１０と、前記収納袋のシ―ル部５を介して前記容器本体３の開口部２の縁部２ａを密封するように覆う着脱可能なキャップ７と、収納袋１０内部に設けられた、中央部に孔１７を有する１または複数のこぼれ阻止板部１６とからなることを特徴とする塗料等の容器。【選択図】図１
2007297086.tif 000002
【特許請求の範囲】
【請求項１】
塗料等を収納することができる上部が開口された容器本体と、
開口部の縁部を密封するように覆うことができるキャップと、
容器本体内部に設けられた１または複数のこぼれ阻止板部と、
からなることを特徴とする塗料等の容器。
【請求項２】
塗料等を収納することができる上部が開口された容器本体と、
前記容器本体内に収納され、塗料等を収納し該容器本体の開口部を覆うことができるシ―ル部を有した合成樹脂材製等の収納袋と、
前記収納袋のシ―ル部を介して前記容器本体の開口部の縁部を密封するように覆う着脱可能なキャップと、
収納袋内部に設けられた１または複数のこぼれ阻止板部と、
からなることを特徴とする塗料等の容器。
【請求項３】
前記キャップは中央部に刷毛を出し入れする孔を設けたことを特徴とする、請求項１ないし請求項２に記載の塗料等の容器。
【請求項４】
前記こぼれ阻止板部は、中央に孔を有していることを特徴とする、
請求項１ないし請求項３に記載の塗料等の容器。
【請求項５】
前記キャップに設けられた孔の径は、こぼれ阻止板部が有する孔の径と比較して小さいことを特徴とする請求項１ないし請求項４に記載の塗料等の容器。
【請求項６】
前記こぼれ阻止板部の少なくとも１つは、容器本体の底部に向かって内径を縮小する縮小傾斜部を形成していることを特徴とする請求項１ないし５に記載の塗料等の容器。
【発明の詳細な説明】
【技術分野】
【０００１】
この発明は、塗装作業などにおいて、塗料等を収納している容器が揺れ動き、もしくは、大きく傾いた際においても中の塗料等のこぼれを防止する塗料等の容器に関するものである。
【背景技術】
【０００２】
従来、この種の塗装に用いる塗料等の容器としては、特許文献１、特許文献２、および、特許文献３に記載されたものが従来から知られている。従来の塗料等の容器を図１３から図１７に示す。
【０００３】
従来の塗料等の容器は、その容器本体３ａの開口部の縁部を刷毛に付着した塗料を掻き落とすための掻き落とし部２ａとしている。さらに、この容器本体３ａは、上記開口部の直径方向両端に取っ手６が取り付けられている。
【０００４】
取っ手６は、その基端が回動自在に取り付けられている場合と、取っ手６に対して容器本体３ａが回動するのを規制する回動規制突部１３ａ，１３ｂ，１３ｃ，１３ｄを設けた状態で取り付けられている場合とがある。
【０００５】
上記のようにした塗料等の容器は、次のようにして使用する。すなわち、容器本体３ａに塗料を入れ、一方の手で取っ手６を持ってぶら下げるか、鉄塔などを構成する部材に取っ手６を針金などで固定したり、作業員の腰部などにカラビナなどで固定しつつ（図示省略）、他方の手に持った刷毛１８を塗料に浸し、その塗料を浸した刷毛１８で塗装作業をする。このとき、刷毛１８に塗料を含ませ過ぎたときには、刷毛１８を掻き落とし部２ａに強く押し付けて扱いたり、容器本体３ａの内面壁８に刷毛を叩きつけるなどして、必要以上の塗料を容器本体３ａに戻す。また、刷毛１８に塗料をなじませるためにも、刷毛１８を掻き落とし部２ａに押し付けて扱くこともある。
【０００６】
また、図１４に示した塗料等の容器では、容器本体３ａの内部に収納され、容器本体３ａの開口部２を覆うことができるシ―ル部５を有する合成樹脂材製等の収納袋１０を内部に位置させ、収納袋１０に塗料等を収納する。
【０００７】
上記のような収納袋１０を用いると、容器本体３ａが塗料等によって汚れることを効率よく阻止できるため、容器本体３ａを再使用等することが可能となるという利点がある。
【特許文献１】実用新案登録第３０４６８１１号公報
【特許文献２】特開２００５−２０００５６号公報
【特許文献３】特開平７−１１７４００号公報
【発明の開示】
【発明が解決しようとする課題】
【０００８】
容器本体３ａと取っ手６とが相対回転自在になっている場合は、例えば、容器本体３ａが取っ手６によってぶら下がった状態で、刷毛１８を掻き落とし部２ａに強く押し付けて扱くと、容器本体３ａの方が傾いてしまうことがある（図１５）。
【０００９】
また、図１３に示すような、回動規制突部１３ａ，１３ｂ，１３ｃ，１３ｄを設けて、取っ手６に対して容器本体３ａが回動することを規制している場合においても、鉄塔などを構成する部材などに固定された容器本体３ａに作業員が接触したりすると、取っ手６とともに容器本体３ａが傾いてしまったり（図１６）、回動規制突部１３ａ，１３ｂ，１３ｃ，１３ｄを取っ手６が超えてしまい、容器本体３ａが傾いてしまうことがある（図１５）。
【００１０】
このように容器本体３ａが傾いたとき、場合によっては、その中に入れた塗料が外部にこぼれてしまい、容器本体３ａや周囲を汚してしまうという問題があった。また、図１４に示すような収納袋１０を用いる場合においては、刷毛支持板１４が、塗料を抑える場合もあるが、刷毛支持板１４をこえたり（図１７）、孔１５から塗料が外部にこぼれてしまい（図示省略）、容器本体３ａや周囲を汚してしまうという問題があった。
【００１１】
本発明は、以上のような従来の欠点に鑑み、容器本体が傾いたときでも、中の塗料が外部にこぼれることを阻止する塗料等の容器を提供することを目的としている。
【課題を解決するための手段】
【００１２】
上記目的を達成するために、本発明は、塗料等を収納することができる上部が開口された容器本体と、開口部の縁を密封するように覆うことができるキャップと、容器本体もしくは収納袋の内部に設けられている１または複数のこぼれ阻止板部とで塗料等の容器を構成している。
【発明の効果】
【００１３】
上記のように構成された塗料等の容器は、塗装作業などにおいて、塗料等を収納している容器が揺れ動き、もしくは、大きく傾いた際においても、容器本体もしくは収納袋の内部に設けられているこぼれ阻止板部や中央部に孔を有するキャップによって塗料の流出を止めることが出来るため、塗料が容器の外部にこぼれて、容器本体や周囲を汚してしまうことがなくなる。
【発明を実施するための最良の形態】
【００１４】
以下、図面に示す実施例により、本発明を詳細に説明する。図１ないし図３の本発明の第１の実施例において、１は内部に塗料等を収納することができる本発明の塗料等の容器である。この塗料等の容器１は上部に開口部２が形成されたブリキ板等の金属板製の容器本体３と、前記容器本体３の開口部２の縁部を密封するように覆うことが可能なキャップ７と、こぼれ阻止板部１６から構成されている。なお、キャップ７は、外周部に多数個の弾性鉤止片９を有するなどの構造で、開口部２の縁部を密封性を保持している。
【００１５】
前記こぼれ阻止板部１６は容器本体３と同じ材質であっても、合成樹脂材、ゴム材、耐溶剤処理を施した紙あるいは布材、金属板等を用いたものでもよい。また、こぼれ阻止板部１６の固定方法は、図１および図３に示したこぼれ阻止板部１６ａのように、容器本体３の上部寄りの部位に形成された凹状の係止部１２ａに係止された状態で容器内部に固定されてもよい。もしくは、こぼれ阻止板部１６ｂのように直接容器本体３の内側に溶接され、もしくは接着されるなどして固定されてもよい。いずれにしても、こぼれ阻止板部１６は刷毛１８を扱くことが出来る程度に固定されている。この例では、塗料４等は、容器本体３に直接入れられる。
【００１６】
図４を用いて、こぼれ阻止板部１６を複数有した際の効果を説明する。すなわち上記のような構造を持つ、容器本体３が傾いた場合、内部に入れられている塗料４等は、重力によって下方へこぼれようとする。これを、まず、例えばこぼれ阻止板１６ｂによって阻止する。これに対し、更に容器本体３が傾いた場合、塗料４等は、こぼれ阻止板１６ｂを超えて更に容器本体３の外側へこぼれだそうとする。これに対し、こぼれ阻止板１６ａ等が更に存在するため、塗料４等はこぼれ阻止板１６ａによって更に外へのこぼれが防止される。このように複数のこぼれ阻止板１６を設けることにより、容器本体３が傾いた場合でも、内部に入れられた塗料４等の外へのこぼれを阻止できるようになる。
【００１７】
また、容器本体３が傾いた状態となるのは、作業において一時的なごく短時間であり、更に内部に入れられるものが塗料の場合は、ある程度粘性が高いため、こぼれ阻止板の効果は大きく、また、通常、このようなこぼれ阻止板と同様に塗料４等の動きを阻止する構造のものが２以上あれば、容器本体３の外部にこぼれ出ることはない。
【００１８】
図５ないし図８に、本発明の第２の実施例を示す。第２の実施例において、１は内部に塗料等を収納することができる本発明の塗料等の収納容器である。この塗料等の容器１は上部に開口部２が形成されたブリキ板等の金属板製の容器本体３と、前記容器本体３内に出入れ可能に取付けられた合成樹脂材製等の収納袋１０と、この収納袋１０のシ―ル部５を介して前記収納容器本体３の開口部２を密封するように覆うことが可能なキャップ７と、こぼれ阻止板部１６から構成されている。なお、キャップ７は、外周部に多数個の弾性鉤止片９を有するなどの構造で、開口部２の縁部の密封性を保持している。また、収納袋１０は前記容器本体３の開口部２
を覆うことができるシ―ル部５を有する。
【００１９】
前記収納袋１０の材質としては合成樹脂材、ゴム材、耐溶剤処理を施した紙あるいは布材、金属シート材等を用いる。
【００２０】
前記こぼれ阻止板部１６は収納袋１０と同じ材質であっても、合成樹脂材、ゴム材、耐溶剤処理を施した紙あるいは布材、金属板等を用いたものでもよい。また、こぼれ阻止板部１６の固定方法は、図７および図８に示したこぼれ阻止板部１６ｃのように、前記収納袋本体１１の上部寄りの部位に形成された凹状の係止部１２ｂに係止された状態で収納袋内部に固定されてもよい。もしくは、こぼれ阻止板部１６ｄのように直接収納袋１０の内側と一体成形されたり、接着されるなどして固定されてもよい。いずれにしても、こぼれ阻止板部１６は刷毛１８を扱くことが出来る程度に固定されている。
【００２１】
上記構成の塗料等の容器１は、容器本体３内にこぼれ阻止板部１６をセットした収納袋１０を挿入し、該収納袋１０内に塗料４等を収納する。この状態で収納容器本体３の開口部２を収納袋１０のシ―ル部５を介してキャップ７で密封する。 
【００２２】
刷毛１８に収納袋１０内の塗料４等を付着させ、こぼれ阻止板部１６の内側端部で扱いて、最適の塗料４等の付着状態にして使用する。
【００２３】
この例の場合、収納袋１０内の塗料４等がなくなった場合には、容器本体３内より収納袋１０を抜き取ることにより、容器本体３には塗料等が付着していない状態になり、再使用、再利用することができるという利点がある。また、塗料の外部へのこぼれ防止の考え方については、第１の実施例と同様である。
【００２４】
図９に、本発明の第３の実施例を、図１０に、本発明の第４の実施例を示す。第３および第４の実施例は、こぼれ阻止板部１６を容器内部に１つ以上設けつつ、キャップ７の中央部に孔７ａを設けて、キャップ７にこぼれ阻止板１６と同様の機能を持たせる例である。
【００２５】
この構造により、こぼれ阻止板１６の構造数が１であっても、塗料４等の動きを阻止する構造が２以上存在することになり、第１の実施例と同様に塗料の外部へのこぼれ防止の効果を得ることが出来る。
【００２６】
図１１に、本発明の第５の実施例を示す。第５の実施例においては、こぼれ阻止板１６の孔１７の径αよりも、キャップ７に設けた孔７ａの径βが大きい。これにより、内部の塗料が見えやすくなるとともに、手を入れて刷毛１８に塗料４等を含ませる際の作業性も良くなる。
【００２７】
図１２に、本発明の第６の実施例を示す。第６の実施例においては、こぼれ阻止板１６が、容器本体の底部に向かって内径を縮小する縮小傾斜部を形成している。これにより、こぼれ阻止板１６の内側端部で刷毛１８を扱いた際の余分な塗料４等を重力により、容器もしくは収納袋内の塗料４等が収納されている部位へ滴り落とすことができる。
【００２８】
なお、本発明の例に用いた図面と説明は、もっぱら解説のためのものであって、本発明の範囲を限定するものではない。例えば、キャップ７の構造としては、切れ目のあるゴムカバー状のものであって、その中央部に孔７ａを有する構成のものでもよい。
【産業上の利用可能性】
【００２９】
この発明は、刷毛に塗料を含ませながら塗装作業をするときに利用するのに最適である。
【図面の簡単な説明】
【００３０】
【図１】本発明の第１の実施例を示す断面図。
【図２】本発明の第１の実施例を示す平面図。
【図３】本発明の第１の実施例を示す分解斜視図。
【図４】本発明の効果の説明図。
【図５】本発明の第２の実施例を示す断面図。
【図６】本発明の第２の実施例を示す平面図。
【図７】本発明の第２の実施例を示す分解斜視図。
【図８】本発明の第２の実施例を示すこぼれ阻止板取り付け説明図（斜視図）。
【図９】本発明の第３の実施例を示す分解斜視図。
【図１０】本発明の第４の実施例を示す分解斜視図。
【図１１】本発明の第５の実施例を示す断面図。
【図１２】本発明の第６の実施例を示す断面図。
【図１３】従来の塗料容器を示す斜視図。
【図１４】従来の塗料容器を示す斜視図。
【図１５】従来の容器の使用状態を示す斜視図。
【図１６】従来の容器の使用状態を示す斜視図。
【図１７】従来の容器の使用状態を示す斜視図。
【符号の説明】
【００３１】
１：塗料等の収納容器
２：開口部
２ａ：掻き落し部（開口部の縁部）
３、３ａ：収納容器本体
４：塗料
５：シ―ル部
６：取っ手
７：キャップ
７ａ：キャップの中央部の孔
８：本体３ａの内面壁
９：弾性鉤止片
１０：収納袋
１１：収納袋本体
１２ａ、１２ｂ：係止部
１３ａ：回動規制突部
１３ｂ：回動規制突部
１３ｃ：回動規制突部
１３ｄ：回動規制突部
１４、１４Ａ：刷毛支持板
１５：刷毛支持板部の孔１５
１６、１６ａ、１６ｂ、１６ｃ、１６ｄ：こぼれ阻止板部
１７：こぼれ阻止板部の孔
１８：刷毛
【図１】
2007297086.tif 000003
【図２】
2007297086.tif 000004
【図３】
2007297086.tif 000005
【図４】
2007297086.tif 000006
【図５】
2007297086.tif 000007
【図６】
2007297086.tif 000008
【図７】
2007297086.tif 000009
【図８】
2007297086.tif 000010
【図９】
2007297086.tif 000011
【図１０】
2007297086.tif 000012
【図１１】
2007297086.tif 000013
【図１２】
2007297086.tif 000014
【図１３】
2007297086.tif 000015
【図１４】
2007297086.tif 000016
【図１５】
2007297086.tif 000017
【図１６】
2007297086.tif 000018
【図１７】
2007297086.tif 000019